(57)【要約】【課題】  季節に応じて変化に富み、かつ、健康的な食事を可能にすると共に、予算管理・食材選択などユーザーの日常的な買い物の手間を減らす。【解決手段】  家族の男女別人数・各人の年齢・食事量の多寡を含む家族構成情報、食事の好み・頻度を含む食事傾向情報及び食事に掛ける費用目安である食事予算情報に関する質問情報を表示させる手段と、質問に対する回答情報を受け付ける手段と、回答情報及び時節に基づいて、所定期間中の献立、献立を構成する料理に必要な食材、食材の量及び食材の購入必要金額を含む献立提案情報を通知する手段と、献立提案情報に関し了解が得られた場合、所定期間中において所定間隔で、献立提案情報に含まれる料理のレシピ及び食材を配送する処理を行い、配送した食材に関する決済処理を行う手段と、を有する。【選択図】図２
2020190921.tif 000002
【特許請求の範囲】
【請求項１】
ユーザー端末に対し、ユーザーを含む家族の男女別人数・各人の年齢・食事量の多寡を含む家族構成情報、食事の好み・頻度を含む食事傾向情報及び食事に掛ける費用目安である食事予算情報に関する質問情報を表示させる質問表示手段と、
前記ユーザー端末から前記質問情報に対する回答情報を受け付ける回答取得手段と、
前記回答情報及び時節に基づいて、所定期間中の献立、該献立を構成する料理に必要な食材、該食材の量及び前記食材の購入必要金額を含む献立提案情報を前記ユーザー端末に対し通知する提案通知手段と、
前記提案通知手段によって通知する前記献立提案情報に関し了解が得られた場合、前記所定期間中において所定間隔で、前記ユーザーに対し、前記献立提案情報に含まれる前記料理のレシピ及び前記食材を配送する処理を行い、配送した前記食材に関する決済処理を行う配送・決済手段と、を有することを特徴とする食材配送装置。
【請求項２】
前記ユーザー端末から、前記献立提案情報に対する修正情報を受け付ける修正受付手段と、
前記献立提案情報及び前記修正情報に基づいて、前記献立提案情報を修正した献立再提案情報を前記ユーザー端末に対し通知する再提案通知手段と、を有し、
前記配送・決済手段が、前記再提案通知手段によって通知する前記献立再提案情報に関し了解が得られた場合、前記所定期間中において所定間隔で、前記ユーザーに対し、前記献立再提案情報に含まれる前記料理のレシピ及び前記食材を配送する処理を行い、配送した前記食材に関する決済処理を行うことを特徴とする請求項１に記載の食材配送装置。
【請求項３】
前記決済処理が、通常の販売価格に対し所定の割引を適用した価格による決済を行うことを特徴とする請求項１又は２に記載の食材配送装置。
【請求項４】
質問表示手段が、ユーザー端末に対し、ユーザーを含む家族の男女別人数・各人の年齢・食事量の多寡を含む家族構成情報、食事の好み・頻度を含む食事傾向情報及び食事に掛ける費用目安である食事予算情報に関する質問情報を表示させるステップと、
回答取得手段が、前記ユーザー端末から前記質問情報に対する回答情報を受け付けるステップと、
提案通知手段が、前記回答情報及び時節に基づいて、所定期間中の献立、該献立を構成する料理に必要な食材、該食材の量及び前記食材の購入必要金額を含む献立提案情報を前記ユーザー端末に対し通知するステップと、
配送・決済手段が、前記提案通知手段によって通知する前記献立提案情報に関し了解が得られた場合、前記所定期間中において所定間隔で、前記ユーザーに対し、前記献立提案情報に含まれる前記料理のレシピ及び前記食材を配送する処理を行い、配送した前記食材に関する決済処理を行うステップと、を含む食材配送方法。
【請求項５】
修正受付手段が、前記ユーザー端末から、前記献立提案情報に対する修正情報を受け付けるステップと、
再提案通知手段が、前記献立提案情報及び前記修正情報に基づいて、前記献立提案情報を修正した献立再提案情報を前記ユーザー端末に対し通知するステップと、を含み、
前記配送・決済手段が、前記再提案通知手段によって通知する前記献立再提案情報に関し了解が得られた場合、前記所定期間中において所定間隔で、前記ユーザーに対し、前記献立再提案情報に含まれる前記料理のレシピ及び前記食材を配送する処理を行い、配送した前記食材に関する決済処理を行うことを特徴とする請求項４に記載の食材配送方法。
【請求項６】
前記決済処理が、通常の販売価格に対し所定の割引を適用した価格による決済を行うことを特徴とする請求項４又は５に記載の食材配送方法。
【請求項７】
コンピューターに、請求項４乃至６の何れか一に記載の方法を実行させるための食材配送プログラム。
【発明の詳細な説明】
【技術分野】
【０００１】
時節に応じた献立を提案し、提案に応じた食材を配送する技術に関する。
【背景技術】
【０００２】
我が国にはそれぞれに特徴のある四季が有り、季節によって景色も変わり、食べ頃の食材も移り変わっていき、時期によっては手に入り難い食材が有ったり、食材価格も変動したりする。
一方、栄養面でバランスのとれた食事は、家族の健康を支える基礎を成すものであるが、一般の家庭では、日々の献立作成は大変な仕事であると言える。
【発明の概要】
【発明が解決しようとする課題】
【０００３】
従来、栄養の偏りなく日々の献立を作成するのは難しく、また、時期によって、市販される食材の内容や価格は変動する中、家庭の食費を効率的に運用することは難しいという問題点があった。
【０００４】
そこで、本発明では、従来の問題点に鑑み、季節に応じて変化に富み、かつ、健康的な食事を可能にすると共に、予算管理・食材選択などユーザーの日常的な買い物の手間を減らす食材配送装置を提供することを目的とする。
【課題を解決するための手段】
【０００５】
開示する食材配送装置の一形態は、ユーザー端末に対し、ユーザーを含む家族の男女別人数・各人の年齢・食事量の多寡を含む家族構成情報、食事の好み・頻度を含む食事傾向情報及び食事に掛ける費用目安である食事予算情報に関する質問情報を表示させる質問表示手段と、前記ユーザー端末から前記質問情報に対する回答情報を受け付ける回答取得手段と、前記回答情報及び時節に基づいて、所定期間中の献立、該献立を構成する料理に必要な食材、該食材の量及び前記食材の購入必要金額を含む献立提案情報を前記ユーザー端末に対し通知する提案通知手段と、前記提案通知手段によって通知する前記献立提案情報に関し了解が得られた場合、前記所定期間中において所定間隔で、前記ユーザーに対し、前記献立提案情報に含まれる前記料理のレシピ及び前記食材を配送する処理を行い、配送した前記食材に関する決済処理を行う配送・決済手段と、を有することを特徴とする。
【発明の効果】
【０００６】
開示する食材配送装置は、季節に応じて変化に富み、かつ、健康的な食事を可能にすると共に、予算管理・食材選択などユーザーの日常的な買い物の手間を減らす。
【図面の簡単な説明】
【０００７】
【図１】本実施の形態に係る食材配送装置の概要を説明する図である。
【図２】本実施の形態に係る食材配送装置の機能ブロック図である。
【図３】本実施の形態に係る質問表示手段及び回答取得手段の一例を説明する図である。
【図４】本実施の形態に係る献立及び献立を構成する料理の一例を説明する図である。
【図５】本実施の形態に係る料理及び料理の材料となる食材の一例を説明する図である。
【図６】本実施の形態に係る食材及び食材の購入必要金額の一例を説明する図である。
【図７】本実施の形態に係る食材配送装置のハードウエア構成例を示す図である。
【図８】本実施の形態に係る食材配送装置による処理例の流れを示すフローチャートである。
【発明を実施するための形態】
【０００８】
図面を参照しながら、本発明を実施するための形態について説明する。
（本実施の形態に係る食材配送装置の動作原理）
【０００９】
図１乃至５を用いて、本実施の形態に係る食材配送装置（以下、単に「本装置」という。）１００の動作原理について説明する。図１は、本装置１００と周辺装置３５０との接続関係を説明する図であり、図２は、本装置１００の機能ブロック図であり、図３乃至５は、本装置１００の機能を説明するための図である。
【００１０】
図１で示すように、本装置１００は、通信ネットワーク３６０を介して、ユーザー端末３５０と接続される。通信ネットワーク３６０は、有線通信ネットワークであっても良く、無線通信ネットワークであっても良い。ユーザー端末３５０は、ユーザー３４０が操作し、スマートフォンのような携帯情報端末であっても良く、パーソナルコンピューターであっても良い。
【００１１】
本装置１００は、ユーザー３４０から家族構成情報２２０、家族の食事傾向情報２３０及び食事予算情報２４０を受け付け、これら情報に基づいて、ユーザー３４０の希望に合って、かつ、健康的な食事を可能にする毎日の献立２７０を提案する。提案される献立２７０においては、季節に応じて変化に富んだ食材２９０が使用される。
【００１２】
そして、本装置１００は、提案した献立２７０についてユーザー３４０の合意が取れた場合、献立２７０を構成する料理２８０の材料である食材２９０を、ユーザー３４０へレシピと共に定期的に届ける。ユーザー３４０の元へ食材２９０が定期的に届けられるので、ユーザー３４０の日常的な買い物の手間を減らすことができる。
【００１３】
ユーザー３４０へ届けた食材２９０については、本装置１００の管理者とユーザー３４０との間で代金決済が行われる。ユーザー３４０にとっては、予め定めた計画に基づいて金銭支出が行われるため、ユーザー３４０による予算管理の手間が省かれる。なお、決済金額は、通常の店頭価格よりも所定の割引を適用した価格で行われる形態としても良い。
【００１４】
このようにして、本装置１００は、季節に応じて変化に富み、かつ、健康的な食事を可能にすると共に、予算管理・食材選択などユーザー３４０の日常的な買い物の手間を減らすことができる。
【００１５】
図２で示すように、本装置１００は、質問表示手段１１０、回答取得手段１２０、提案通知手段１３０、修正受付手段１４０、再提案通知手段１５０、配送・決済手段１６０を有する。
【００１６】
質問表示手段１１０は、ユーザー端末３５０に対し、ユーザー３４０を含む家族の男女別人数・各人の年齢・食事量の多寡を含む家族構成情報２２０、食事の好み・頻度を含む食事傾向情報２３０及び食事に掛ける費用目安である食事予算情報２４０に関する質問情報２１０を表示させる。
【００１７】
家族構成情報２２０は、主に、献立２７０を構成する料理２８０の量を決めるために利用される。家族構成情報２２０は、男女別人数、各人の年齢（例えば、育ち盛りか否か等）、食事量の多寡（例えば、大食か少食かなど）以外の情報を含む形態としても良い。
【００１８】
図３で示すように、家族構成情報２２０に関する質問情報２１０は、例えば、“ご家族は何人ですか？”、“ご家族各人の年齢はお幾つですか？”のようなものである。
【００１９】
食事傾向情報２３０は、主に、献立２７０を構成する料理２８０の量・嗜好傾向を決めるために利用される。食事傾向情報２３０は、食事の好み（例えば、洋風が好き、和風が好き、食べ物の好き嫌い等）、食事の頻度（例えば、１日の食事回数等）以外の情報を含む形態としても良い。
【００２０】
図３で示すように、食事傾向情報２３０に関する質問情報２１０は、例えば、“食事は、洋風が好きですか？和風が好きですか？”、“昼食を自宅で食べるのは何人ですか？”のようなものである。
【００２１】
食事予算情報２４０は、主に、食事に掛ける所定期間の予算上限等の情報であるが、これ以外の情報を含む形態としても良い。図３で示すように、食事予算情報２４０に関する質問情報２１０は、例えば、“１か月の食費は幾らぐらいにしたいですか？”のようなものである。
回答取得手段１２０は、ユーザー端末３５０から、質問表示手段１１０によって提示される質問情報２１０に対する回答情報２５０を受け付ける。
【００２２】
提案通知手段１３０は、回答情報２５０及び処理時の時節（季節等）に基づいて、所定期間中の献立２７０、献立２７０を構成する料理２８０に必要な食材２９０、食材２９０の量３００及び食材２９０の購入必要金額３１０を含む献立提案情報２６０をユーザー端末３５０に対し通知する。献立提案情報２６０には、食事に関するアドバイスが含まれる形態としても良い。
【００２３】
図４で示すように、献立２７０は、例えば、主食、主菜、副菜、汁物等の料理２８０の組み合わせである。主食、主菜、副菜及び汁物それぞれには、多数の選択肢が用意（記憶）され、時節に応じて内容が変更される。
図５で示すように、各料理２８０に紐付けて、各料理２８０の材料としての食材２９０が記憶されている。
図６で示すように、食材２９０の購入必要金額３１０は、食材２９０の単位量当たりの金額に必要量を乗じて算出される。
【００２４】
提案通知手段１３０は、例えば、食事傾向情報２３０に関する回答情報２５０に基づいて、所定期間中、内容が重複せず、かつ、食事の好みを加味して、毎日各食の献立２７０を、用意される選択肢の中から選択する。そして、提案通知手段１３０は、家族構成情報２２０に関する回答情報２５０に基づいて、選択される献立２７０に含まれる料理２８０の必要量を算出し、料理２８０に要する食材２９０の必要量を算出する。さらに、提案通知手段１３０は、食材２９０の必要量に各食材２９０の単価を掛けて、購入必要金額３１０を算出する。提案通知手段１３０は、所定期間の購入必要金額３１０の和が食事予算情報２４０に関する回答情報２５０内に収まるまで、献立２７０・食材２９０等の再選択・再計算を繰り返し、献立提案情報２６０を作成する。
【００２５】
提案通知手段１３０は、時節に応じ変化する献立２７０の内容を制約条件として、回答情報２５０を満たす献立２７０の最適化を行って献立提案情報２６０を作成するが、その最適化の手法はどの様なものを採用しても良い。
【００２６】
修正受付手段１４０は、ユーザー端末３５０から、献立提案情報２６０に対する修正情報３２０を受け付ける。修正情報３２０とは、献立提案情報２６０に対する、ユーザー３４０の変更希望である。
【００２７】
再提案通知手段１５０は、提案通知手段１３０によって通知した献立提案情報２６０及び修正受付手段１４０によって受け付けた修正情報３２０に基づいて、献立提案情報２６０を修正した献立再提案情報３３０をユーザー端末３５０に対し通知する。献立再提案情報３３０は、献立提案情報２６０と同様、所定期間中の献立２７０、献立２７０を構成する料理２８０に必要な食材２９０、食材２９０の量３００及び食材２９０の購入必要金額３１０を含む情報である。献立再提案情報３３０は、献立提案情報２６０に比べ、ユーザー３４０の希望をより反映させた内容となっている。
【００２８】
配送・決済手段１６０は、提案通知手段１３０によって通知する献立提案情報２６０に関しユーザー３４０の了解が得られた場合、所定期間中において所定間隔で、ユーザー３４０に対し、献立提案情報２６０に含まれる料理２８０のレシピ及び食材２９０を配送する処理を行い、配送した食材２９０に関する決済処理を行う。
【００２９】
配送・決済手段１６０は、再提案通知手段１５０によって通知する献立再提案情報３３０に関しユーザー３４０の了解が得られた場合、所定期間中において所定間隔で、ユーザー３４０に対し、献立再提案情報３３０に含まれる料理２８０のレシピ及び食材２９０を配送する処理を行い、配送した食材２９０に関する決済処理を行う。
配送・決済手段１６０による決済処理は、通常の販売価格に対し所定の割引を適用した価格による決済を行う形態としても良い。
【００３０】
本装置１００は、上記のような動作原理に基づいて、季節に応じて変化に富み、かつ、健康的な食事を可能にすると共に、予算管理・食材選択などユーザーの日常的な買い物の手間を減らす。
（本実施の形態に係る食材配送装置のハードウエア構成）
【００３１】
図７を用いて、本装置１００のハードウエア構成例について説明する。図７は、本装置１００のハードウエア構成の一例を示す図である。図７で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置４７０、記録媒体Ｉ／Ｆ４８０を有する。
【００３２】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００３３】
補助記憶装置４４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。
【００３４】
通信Ｉ／Ｆ４５０は、有線・無線ＬＡＮ（Local Area Network）、インターネットなどの通信ネットワーク３６０に接続し、通信機能を提供する他装置３５０とデータの授受を行うためのインターフェースである。
【００３５】
入力装置４６０は、キーボードやタッチパネルなど本装置１００にデータ入力を行うための装置である。出力装置４７０は、ＬＣＤ（Liquid Crystal Display）等で構成される装置であり、本装置１００が有する機能をユーザーが利用する際や各種設定を行う際のユーザーインターフェースとして機能する装置である。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００３６】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、本装置１００に当該プログラムを実行させる形態としても良い。
（本実施の形態に係る食材配送装置による処理例）
図８を用いて、本装置１００による処理例の流れについて説明する。図８は、本装置１００による処理の一例の流れを示すフローチャートである。
【００３７】
Ｓ１０で質問表示手段１１０が、ユーザー端末３５０に対し、ユーザー３４０を含む家族の男女別人数・各人の年齢・食事量の多寡を含む家族構成情報２２０、食事の好み・頻度を含む食事傾向情報２３０及び食事に掛ける費用目安である食事予算情報２４０に関する質問情報２１０を表示させる。
【００３８】
家族構成情報２２０は、主に、献立２７０を構成する料理２８０の量を決めるために利用される。家族構成情報２２０は、男女別人数、各人の年齢（例えば、育ち盛りか否か等）、食事量の多寡（例えば、大食か少食かなど）以外の情報を含む形態としても良い。図３で示すように、家族構成情報２２０に関する質問情報２１０は、例えば、“ご家族は何人ですか？”、“ご家族各人の年齢はお幾つですか？”のようなものである。
【００３９】
食事傾向情報２３０は、主に、献立２７０を構成する料理２８０の量・嗜好傾向を決めるために利用される。食事傾向情報２３０は、食事の好み（例えば、洋風が好き、和風が好き、食べ物の好き嫌い等）、食事の頻度（例えば、１日の食事回数等）以外の情報を含む形態としても良い。図３で示すように、食事傾向情報２３０に関する質問情報２１０は、例えば、“食事は、洋風が好きですか？和風が好きですか？”、“昼食を自宅で食べるのは何人ですか？”のようなものである。
【００４０】
食事予算情報２４０は、主に、食事に掛ける所定期間の予算上限等の情報であるが、これ以外の情報を含む形態としても良い。図３で示すように、食事予算情報２４０に関する質問情報２１０は、例えば、“１か月の食費は幾らぐらいにしたいですか？”のようなものである。
Ｓ２０で回答取得手段１２０が、ユーザー端末３５０から、質問表示手段１１０によって提示される質問情報２１０に対する回答情報２５０を受け付ける。
【００４１】
Ｓ３０で提案通知手段１３０が、回答情報２５０及び処理時の時節（季節等）に基づいて、所定期間中の献立２７０、献立２７０を構成する料理２８０に必要な食材２９０、食材２９０の量３００及び食材２９０の購入必要金額３１０を含む献立提案情報２６０を作成する。そして、提案通知手段１３０は、作成した献立提案情報２６０をユーザー端末３５０に対し通知する。献立提案情報２６０には、食事に関するアドバイスが含まれる形態としても良い。
【００４２】
図４で示すように、献立２７０は、例えば、主食、主菜、副菜、汁物等の料理２８０の組み合わせである。主食、主菜、副菜及び汁物それぞれには、多数の選択肢が用意（記憶）され、時節に応じて内容が変更される。図５で示すように、各料理２８０に紐付けて、各料理２８０の材料としての食材２９０が記憶されている。図６で示すように、食材２９０の購入必要金額３１０は、食材２９０の単位量当たりの金額に必要量を乗じて算出される。
【００４３】
提案通知手段１３０は、例えば、食事傾向情報２３０に関する回答情報２５０に基づいて、所定期間中、内容が重複せず、かつ、食事の好みを加味して、毎日各食の献立２７０を、用意される選択肢の中から選択する。そして、提案通知手段１３０は、家族構成情報２２０に関する回答情報２５０に基づいて、選択される献立２７０に含まれる料理２８０の必要量を算出し、料理２８０に要する食材２９０の必要量を算出する。さらに、提案通知手段１３０は、食材２９０の必要量に各食材２９０の単価を掛けて、購入必要金額３１０を算出する。提案通知手段１３０は、所定期間の購入必要金額３１０の和が食事予算情報２４０に関する回答情報２５０内に収まるまで、献立２７０・食材２９０等の再選択・再計算を繰り返し、献立提案情報２６０を作成する。
【００４４】
提案通知手段１３０は、時節に応じ変化する献立２７０の内容を制約条件として、回答情報２５０を満たす献立２７０の最適化を行って献立提案情報２６０を作成するが、その最適化の手法はどの様なものを採用しても良い。
【００４５】
Ｓ４０において、Ｓ３０で通知した献立提案情報２６０にユーザー３４０の修正希望が有る場合（Ｓ４０でＹＥＳ）、処理はＳ５０へ移行する。Ｓ４０において、Ｓ３０で通知した献立提案情報２６０にユーザー３４０の修正希望が無い場合（Ｓ４０でＮＯ）、処理はＳ７０へ移行する。
【００４６】
Ｓ５０で修正受付手段１４０が、ユーザー端末３５０から、献立提案情報２６０に対する修正情報３２０を受け付ける。修正情報３２０とは、献立提案情報２６０に対する、ユーザー３４０の変更希望である。
【００４７】
Ｓ６０で再提案通知手段１５０が、Ｓ３０において通知した献立提案情報２６０及びＳ５０において受け付けた修正情報３２０に基づいて、献立提案情報２６０を修正した献立再提案情報３３０を作成する。そして、再提案通知手段１５０は、作成した献立再提案情報３３０をユーザー端末３５０に対し通知する。
【００４８】
献立再提案情報３３０は、献立提案情報２６０と同様、所定期間中の献立２７０、献立２７０を構成する料理２８０に必要な食材２９０、食材２９０の量３００及び食材２９０の購入必要金額３１０を含む情報である。献立再提案情報３３０は、献立提案情報２６０に比べ、ユーザー３４０の希望をより反映させた内容となっている。
【００４９】
Ｓ７０で配送・決済手段１６０が、Ｓ３０において通知した献立提案情報２６０に関しユーザー３４０の了解が得られた場合、所定期間中において所定間隔で、ユーザー３４０に対し、献立提案情報２６０に含まれる料理２８０のレシピ及び食材２９０を配送する処理を行い、配送した食材２９０に関する決済処理を行う。
【００５０】
一方、再提案通知手段１５０によって通知する献立再提案情報３３０に関しユーザー３４０の了解が得られた場合、配送・決済手段１６０は、所定期間中において所定間隔で、ユーザー３４０に対し、献立再提案情報３３０に含まれる料理２８０のレシピ及び食材２９０を配送する処理を行い、配送した食材２９０に関する決済処理を行う。
配送・決済手段１６０による決済処理は、通常の販売価格に対し所定の割引を適用した価格による決済を行う形態としても良い。
【００５１】
上記のような処理を行うことによって、本装置１００は、季節に応じて変化に富み、かつ、健康的な食事を可能にすると共に、予算管理・食材選択などユーザーの日常的な買い物の手間を減らす。
【００５２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５３】
１００  食材配送装置
１１０  質問表示手段
１２０  回答取得手段
１３０  提案通知手段
１４０  修正受付手段
１５０  再提案通知手段
１６０  配送・決済手段
２１０  質問情報
２２０  家族構成情報
２３０  食事傾向情報
２４０  食事予算情報
２５０  回答情報
２６０  献立提案情報
２７０  献立
２８０  献立を構成する料理
２９０  食材
３００  食材の量
３１０  食材の購入必要金額
３２０  修正情報
３３０  献立再提案情報
３４０  ユーザー
３５０  ユーザー端末
３６０  通信ネットワーク
４１０  ＣＰＵ
４２０  ＲＯＭ
４３０  ＲＡＭ
４４０  補助記憶装置
４５０  通信インターフェース
４６０  入力装置
４７０  出力装置
４８０  記憶媒体インターフェース
４９０  記憶媒体
【図１】
2020190921.tif 000003
【図２】
2020190921.tif 000004
【図３】
2020190921.tif 000005
【図４】
2020190921.tif 000006
【図５】
2020190921.tif 000007
【図６】
2020190921.tif 000008
【図７】
2020190921.tif 000009
【図８】
2020190921.tif 000010